(57)【特許請求の範囲】
【請求項１】
支柱と、下枠と、縦枠と、パネル部と、笠木とを備えており、
支柱は、上部に笠木を取り付ける上部ブラケットを有しており、外側の見付け面には側部ブラケットを有すると共に、側部ブラケットの下側には下部ブラケットを有しており、側部ブラケットには枠長手方向に延びるパネル呑込み溝を有する縦枠を固定し、且つ下部ブラケットには枠長手方向に延びるパネル呑込み溝を有する下枠を固定して上側が開放した枠体を形成し、
枠体は、その内周側に、各パネル呑込み溝に保持されるかたちでパネルが取り付けてあり、笠木は、長手方向に連続するパネル呑込み溝を有しており、笠木のパネル呑込み溝にパネル上端部を呑込ませると共に、笠木を支柱の上部ブラケットに固定し、枠体と笠木でパネルの四周により保持するものであり、
笠木は、パネル呑込み溝よりも内側の位置で開閉し、上部ブラケットに固定した状態で枠体の上方位置を開放できることを特徴とする手摺。
【発明の詳細な説明】
【技術分野】
【０００１】
本発明は、階段やベランダ、フェンス、スロープ、廊下等に取り付ける手摺に関するものであり、特に支柱間にパネルを取り付ける態様の手摺とその施工方法に関するものである。
【背景技術】
【０００２】
建物外観の多様化から、バルコニーや階段手摺の柵として採用するものがあり、このような手摺は、施工手順の一例として、支柱から持ち出すブラケットを介して上下左右のフレームを枠組みする枠体を取り付けた後、その枠体内にパネルを挿入して施工されるものであった。
【特許文献１】特開平８−２６０５６３号公報
【発明の開示】
【発明が解決しようとする課題】
【０００３】
上記した手摺の場合、パネルを枠体に嵌め込むときには、枠体上枠のパネル呑込み溝にパネルを下方から差し入れて倹鈍式に取り付けるものであった。また、近年、外観意匠性を考慮した手摺が求められており、その中でも縦枠の見付け幅をできるだけ狭くしてパネルが連続するような視覚的効果を奏するものがある。しかしながら、このような手摺を設置するとき、手摺支柱の見付け幅よりも持ち出し位置にある縦枠の見付け幅が狭いことから、支柱間の間隔よりも縦枠間の間隔が広くなる。このことから、足場側からパネルを取り付けようとすれば、支柱を避けるようにしてパネルを前後に傾けた状態で差し入れなければならず、このような状況ではパネルの取り付けが容易ではなく、例えば高層住宅のベランダ手摺等では、高所作業車やゴンドラ等を使用するケースもあったため、施工コストや工期に影響を及ぼす重大な問題点があった。
【０００４】
本発明は上記課題を鑑みてなされたものであり、外観意匠性を優先するものであっても施工を安全且つ容易に行える手摺の施工方法および手摺を提供することにある。
【課題を解決するための手段】
【０００５】
本発明は、支柱と、下枠と、縦枠と、パネル部と、笠木とを備えており、支柱は、上部に笠木を取り付ける上部ブラケットを有しており、外側の見付け面には側部ブラケットを有すると共に、側部ブラケットの下側には下部ブラケットを有しており、側部ブラケットには枠長手方向に延びるパネル呑込み溝を有する縦枠を固定し、且つ下部ブラケットには枠長手方向に延びるパネル呑込み溝を有する下枠を固定して上側が開放した枠体を形成し、枠体は、その内周側に、各パネル呑込み溝に保持されるかたちでパネルが取り付けてあり、笠木は、長手方向に連続するパネル呑込み溝を有しており、笠木のパネル呑込み溝にパネル上端部を呑込ませると共に、笠木を支柱の上部ブラケットに固定し、枠体と笠木でパネルの四周により保持するものであり、笠木は、パネル呑込み溝よりも内側の位置で開閉し、上部ブラケットに固定した状態で枠体の上方位置を開放できることを特徴とする。    
【発明の効果】
【０００７】
本発明によれば、パネル呑込み溝を有する両側縦枠と下枠とから、パネル呑込み溝を内周側に連続させる状態で三方に枠組みし、開放した三方枠体の上側からパネルを差し入れることにより、縦枠の見付け幅がどのような状態であっても、パネルを容易且つ安全に枠体に取り付けることができる。さらに、枠体の上側位置で笠木が開閉することから、笠木を支柱に取り付けた状態で笠木の一部を開閉することにより、パネルを上方から枠体に差し入れることができるので、施工効率が更に向上する
【図面の簡単な説明】
【０００９】
【図１】図３（ａ）〜（ｆ）に示す、本実施による施工手順を経て形成される手摺の縦断面図である。
【図２】（ａ）は、図２（ｂ）中Ａを拡大して示す横断面図であり、（ｂ）は、図１を横断面して示す手摺の全体図である。
【図３】（ａ）〜（ｆ）は、本実施による手摺の施工手順を示す簡略化した正面図である。
【図４】本発明の他の実施形態を示す縦断面図であり、（ａ）は、枠体にパネルを取り付ける段階の状態を示す縦断面図であり、（ｂ）は、施工途中の状態を示す縦断面図であり、（ｃ）は、施工完了時の縦断面図である。
【図５】本発明の他の実施形態を示す縦断面図であり、（ａ）は施工完了時の縦断面図であり、（ｂ）は、施工途中の状態を示す縦断面図である。
【図６】本発明の他の実施形態を示す縦断面図であり、（ａ）は施工完了時の縦断面図であり、（ｂ）は、施工途中の状態を示す縦断面図である。
【発明を実施するための形態】
【００１０】
以下、本発明の手摺について、バルコニー手摺に適用した実施形態を図面に基づいて説明する。
【００１１】
本実施による手摺は、図１のように、コンクリート足場（足場）１０上部の外側端部に設置するものであり、支柱１と、枠体２，３と、パネル４と、笠木８とからなっている。支柱１は、中空押出形材で形成されており、下端にはアンカーボルト９を垂直に取り付けてあるとともに、そのアンカーボルト９および、支柱１下端の一部をコンクリート足場１０に埋設して支柱１を強固に支持し、さらに、コンクリート足場１０の外側端部上面に沿って間隔をあけた複数箇所に起立させている。また、支柱１のコンクリート足場１０外側の見付け面１ａには、図２（ａ）（ｂ）のように、支柱１に沿って長い横断面ほぼＴ字状の側部ブラケット５と、その側部ブラケット５の下位置に外側突出する水平片を有する下部ブラケット１５とがネジ１１で固定してある。さらに、枠体２，３は、両側の縦枠２，２と下枠３とから上向きコ字型に枠組みしたものであり、両側の縦枠２，２と下枠３のそれぞれの内周側には断面凹状をなすパネル呑込み溝１２ａ，１２ｂが設けてある。また、パネル呑込み溝１２ａ，１２ｂは、枠組みしたときに両側の縦枠２，２と下枠３の三方に連続しており、パネル４の両側端部と下端部の三方を連続して呑込むことができる（図３（ａ）〜（ｆ）参照）。さらに、枠体２，３の両側の縦枠２，２は、図２（ａ）（ｂ）のように、内側に向けて突出する持出し部２ａを有し、その持出し部２ａは、横断面ほぼＵ字状をなしており、各支柱１にＴ字の横片をネジ１１で固定してある側部ブラケット５のＴ字の外側突出片５ａに対し、Ｕ字の溝部を上方から差し込んで下向きにスライドしてネジ１１で互いを固定してある。これにより、縦枠２が側部ブラケット５から左右方向の移動を規制された状態で固定する。また、下枠３は、図１のように、下部ブラケット１５の上面に載置してあり、下枠３と下部ブラケット１５との固定は支持材１８を介してネジ１１で固定してある。笠木８は、横長ほぼ矩形状をなす中空押出形材であり、下端面のやや外側寄りの位置には、下向きのパネル呑込み溝１２ｃが設けてあり、そのパネル呑込み溝１２ｃから内側部分については、ほぼ水平な支柱１との被取付面１３を有している。
【００１２】
次に、笠木８と支柱１およびパネル４との取付構造について説明する。
図１を参照すれば、まず支柱１側では、その支柱１の上端部に、ほぼ水平な板状の上部ブラケット６が外側に向けて張り出した状態でネジ１１により取り付けてある。次にパネル４は、枠体２，３のパネル呑込み溝１２ａ，１２ｂに差し入れたときに、パネル４の上端部のみが枠体２，３から露出した状態となる。そして、パネル４の上端部を笠木８のパネル呑込み溝１２ｃに差し入れるとともに、上部ブラケット６に沿わせ、その上部ブラケット６の下端面側から笠木８の被取付面１３にネジ１１で固定することにより、笠木８と支柱１およびパネル４とを固定する。また、パネル４と枠体２，３および笠木８と各々のパネル呑込み溝１２ａ〜１２ｃとの間にはシール材１４を挟めて緩衝してあり、支柱１から枠体２，３を介して伝わる風圧や振動がパネル４に伝わるのを和らげる構造となっている。
【００１３】
次に、本手摺の施工手順を以下に説明する。
第１の手順として、図３（ａ）にように、コンクリート足場１０にアンカーボルト９を埋設して支柱１を起立し、支柱１の外側見付け面１ａ下位置に下部ブラケット１５を介して下枠３を取り付ける。
第２の手順として、図３（ｂ）のように、下部ブラケット１５と下枠３の交差する位置に縦枠２，２を配置し、支柱１の外側見付け面１ａに取り付けた側部ブラケット５で固定することにより、下枠３と両側の縦枠２，２とから上側が開放する上向きコ字型に三方枠組みする。
第３の手順として、図３（ｃ）のように、支柱１の上端面に上部ブラケット６を固定する。
第４の手順として、図３（ｄ）のように、上方が開放した枠体２，３の上側からパネル４を差し込み、両側の縦枠２，２内周側のパネル呑込み溝１２ｂ，１２ｂ上端の差入口に対してパネル４の下端側の両コーナー部をそれぞれ呑込ませる。
第５の手順として、図３（ｅ）のように、パネル４の両側端部を両側の縦枠２，２のパネル呑込み溝１２ｂ，１２ｂに沿って摺動させながら下枠３のパネル呑込み溝１２ｂに下端部を落とし込み、下枠３と両側の縦枠２，２内周側にパネル４を取り付けて保持させる。そして、下枠３と両側の縦枠２，２のそれぞれのパネル呑込み溝１２ａ，１２ｂ，１２ｂにシール材１４（図示省略）をそれぞれ挿入し、パネル４と枠体２，３とを緩衝させる。
第６の手順として、図３（ｆ）のように、上部ブラケット６に笠木８を沿わせると共に、笠木８のパネル呑込み溝１２ｃに枠体２，３から露出したパネル４の上端部を挿入し、さらに、パネル呑込み溝１２ｃにシール材１４（図示省略）を挿入してパネル４と笠木８を緩衝することにより、本実施による手摺の施工が完了する。
【００１４】
上記の手順を経ることにより、枠体２，３の内周側に有するパネル呑込み溝１２ａ，１２ｂにパネル４が取り付けられた手摺が形成される。そして、パネル４を枠体２，３の上側から差し入れることで、パネル４を両側の縦枠２，２のパネル呑込み溝１２ｂ，１２ｂに沿って摺動させることができる。これにより、縦枠２，２の見付け幅を狭くして外観意匠を重視するものであっても、支柱１間の間隔に影響されることなく、パネル４を枠体２，３のパネル呑込み溝１２ａ，１２ｂ，１２ｃに保持する状態で取り付けできる。しかも、パネル４を上方から枠体に差し入れることができるので、バルコニー外側（コンクリート足場１０外側）からのパネル４の取り付けを想定した高所作業車やゴンドラ等の大掛かりな設備を要せず、また、コンクリート足場１０内側からのパネル４の取り付けが可能となることで施工時の安全性を確保できる。
【００１５】
図４に示すものは、本発明の手摺の他の実施形態である。
本実施のものでは、図４（ａ）（ｂ）のように、笠木２８が分割形成してあり、具体的には、笠木２８が内外方向に分割しており、笠木外側パーツ２８ａと笠木内側パーツ２８ｂの各々を形材長手方向にスライドさせて互いを係止している。具体的に、図４（ｂ）のように、笠木内側パーツ２８ｂの内側端部の上下に、上向きの一方係止片２９ａ，２９ｂをそれぞれ有しており、下側に位置する一方係止片２９ａの内側面中間部には切欠部２６を有している。また、笠木内側パーツ２８ｂの外側端部には、まず、上側に位置するものが下向きに突出し、且つ下側に位置するものが斜め外側上向きに突出する他方係止片２７ａ，２７ｂがそれぞれ設けてあり、笠木外側パーツ２８ａを笠木内側パーツ２８ｂに笠木長手方向端からスライドさせたときに、下側の一方係止片２９ｂの切欠部２６に他方係止片２７ｂが入り込んで互いが係止する。このように笠木２８を形成すると、パネル２４を縦枠２２に取り付けるときに、笠木２８の笠木外側パーツ２８ａを笠木内側パーツ２８ｂから外すのみで、パネル２４を縦枠２２のパネル呑込み溝２３に上側から差し入れることができ、手摺の施工をほぼ仕上げた状態で行えることから、手摺の施工が一層容易になる。また、本実施形態における施工手順については、上記実施形態の第３の手順で笠木内側パーツ２８ｂを上部ブラケット２５に固定し（図４（ａ）参照）、パネル２４を支柱２１の外側に配置する縦枠２２のパネル呑込み溝２３に差し入れた後に、笠木外側パーツ２８ａを笠木内側パーツ２８ｂにスライドして係止される手順を経るものである。
【００１６】
また、笠木８，２８，３８，４８の分割箇所については、笠木８，２８，３８，４８の分割箇所が離脱したときに、パネル４，２４，３４，４４を差し入れるために枠体２，２２，３２，４２上方が開放する位置であればよく、上記実施形態の他、図５（ａ）のように、笠木３８が笠木上パーツ３８ａと笠木下パーツ３８ｂとに分割形成してあり、上記の図４（ａ）（ｂ）のものと同様に、笠木上パーツ３８ａが笠木長手方向にスライドして互いを係止するものであり、図５（ｂ）のように、笠木上パーツ３８ａが笠木下パーツ３８ｂから脱着されて、パネル３４を枠体３２のパネル呑込み溝３３に差し入れるものであるが、図４（ａ）（ｂ）と相違する点として、笠木上パーツ３８ａは、支柱３１と枠体３２に亘り形成してあることにより、両パーツ３８ａ，３８ｂ間の継目を目立たなくしてある。また、図６（ａ）のように、笠木４８が上下に分割形成してあると共に、内側に回転係合部４９を有することで上下に開閉可能に形成してあり、図６（ｂ）のように、その笠木４８の笠木上パーツ４８ａが回転係合部４９を基点に笠木下パーツ４８ｂから上側に開くことにより縦枠４２の上方を開放し、そこからパネル４４を縦枠４２のパネル呑込み溝４３に差し込むことができるようしたものである。
【００１７】
本発明では、笠木８，２８，３８，４８の形状や大きさについて上記の各実施形態に限定されない。また、パネル４，２４，３４，４４についても、上記各実施形態ではガラス製パネルを使用しているが、その他、樹脂性パネルや木製パネル等であってもよい。また、本発明による手摺は、上記実施形態ではバルコニーに適用したものについて説明しているが、通路やスロープ、階段、間仕切り等、その適用範囲を限定するものではない。
【符号の説明】
【００１８】
１  支柱
２  縦枠（枠体）
３  下枠（枠体）
４  パネル
８  笠木
１０  コンクリート足場（足場）
１２ａ〜１２ｃ  パネル呑込み溝
１ａ  支柱の足場外側の見付け面
【図１】
0005705504.tif 000002
【図２】
0005705504.tif 000003
【図３】
0005705504.tif 000004
【図４】
0005705504.tif 000005
【図５】
0005705504.tif 000006
【図６】
0005705504.tif 000007